(57)【要約】複合振動の楕円比率及び振幅を容易に変化させることができる超音波接合装置を提供する。超音波接合装置１は、ホーンチップ６に超音波振動を伝達する超音波ＬＴホーン４を備え、超音波ＬＴホーン４の先端部４ｂ下方にホーンチップ６が取り付けられ、先端部４ｂのホーンチップ６と干渉しない位置（ネジ孔４ｂ１，４ｂ２，４ｂ４）に着脱可能な調整ネジ５が取り付けられる。
2020105434.tif 000002
【特許請求の範囲】
【請求項１】
第１部材と、当該第１部材と対向する位置に配置された第２部材との間に重ねられた複数のワークを、当該第１部材が押圧する方向に垂直な第１方向の振動成分と当該第１方向に直交する第２方向の振動成分とを複合させた超音波振動によって当該第１部材を振動させることにより、当該複数のワークを接合する超音波接合装置であって、
前記第１部材に前記超音波振動を伝達する超音波振動伝達部を備え、
前記超音波振動伝達部の先端部に前記第１部材が取り付けられ、当該先端部の当該第１部材と干渉しない位置に着脱可能な振動調整部材が取り付けられていることを特徴とする超音波接合装置。
【請求項２】
請求項１に記載の超音波接合装置において、
前記振動調整部材を取り付ける取付部が前記超音波振動伝達部の前記先端部の中心に対して前記第１部材と反対側の位置に設けられていることを特徴とする超音波接合装置。
【請求項３】
請求項１又２に記載の超音波接合装置において、
前記振動調整部材を取り付ける複数の取付部が前記超音波振動伝達部の前記先端部の中心に対して対称の位置に設けられていることを特徴とする超音波接合装置。
【請求項４】
請求項２又３に記載の超音波接合装置において、
前記取付部は、凹部又は孔部であり、
前記凹部又は前記孔部は雌ネジの溝が形成され、前記振動調整部材は雄ネジ部を有していることを特徴とする超音波接合装置。
【請求項５】
請求項４に記載の超音波接合装置において、
重量を調整可能なスペーサを備え、
前記振動調整部材と前記超音波振動伝達部の外周との間に、前記スペーサが配置されていることを特徴とする超音波接合装置。
【請求項６】
請求項１〜５の何れか１項に記載の超音波接合装置において、
前記第１部材は、接合用チップであり、
前記第２部材は、アンビルであることを特徴とする超音波接合装置。
【発明の詳細な説明】
【技術分野】
【０００１】
本発明は、超音波振動により金属、プラスチック等のワークを接合する超音波接合装置に関する。
【背景技術】
【０００２】
従来、食品パック等に用いられるプラスチック、又は電池部品等の金属を接合するため、超音波接合が利用されている。一般的な超音波接合装置は、接合用チップ（工具）の先端を超音波振動させ、接合対象物（ワーク）に繰り返し圧力を加えることにより接合する。
【０００３】
例えば、下記の特許文献１の超音波加工装置は、超音波コーンに縦波用超音波振動子と複合振動変換用超音波ホーンが、接続ねじによってそれぞれ接続されている。また、複合振動変換用超音波ホーンの先端には、溶接チップが設置され、被溶接金属材は、溶接チップとアンビル及び加圧装置によって挟持、加圧される。【０００４】
また、複合振動変換用超音波ホーンには、斜めスリットが設けられている。この斜めスリットは、縦振動の節部における複合振動変換用超音波ホーンの周方向複数位置に等間隔をなして設けられており、縦振動モードは、ベクトル的に縦振動と捩り振動の複合振動モードに変換される。
【先行技術文献】
【特許文献】
【０００５】
特許文献１：特開平８−２９４６７３号公報
【発明の概要】
【発明が解決しようとする課題】
【０００６】
特許文献１のような複合振動変換用超音波ホーンでは、ワークに応じて長さ又は太さが異なる複数種類のホーンチップを使用することがある。しかしながら、ホーンチップの種類に応じて、適切な楕円比率及び振幅に調整することが難しいという問題があった。【０００７】
所望の楕円比率及び振幅を得るため、ホーンチップの種類に応じた複合振動変換用超音波ホーンを準備することは可能であるが、準備の手間とコスト的な負担が大きくなる。【０００８】
本発明は、このような事情に鑑みてなされたものであり、複合振動の楕円比率及び振幅を容易に変化させることができる超音波接合装置を提供することを目的とする。
【課題を解決するための手段】
【０００９】
本発明は、第１部材と、当該第１部材と対向する位置に配置された第２部材との間に重ねられた複数のワークを、当該第１部材が押圧する方向に垂直な第１方向の振動成分と当該第１方向に直交する第２方向の振動成分とを複合させた超音波振動によって当該第１部材を振動させることにより、当該複数のワークを接合する超音波接合装置であって、前記第１部材に前記超音波振動を伝達する超音波振動伝達部を備え、前記超音波振動伝達部の先端部に前記第１部材が取り付けられ、当該先端部の当該第１部材と干渉しない位置に着脱可能な振動調整部材が取り付けられていることを特徴とする。【００１０】
本発明の超音波接合装置では、第１部材と第２部材との配置方向（水平方向、傾斜方向）に関係なく、第１部材をワークに押し当てて、当該押圧の方向に垂直な第１方向の成分と第１方向に垂直な第２方向の成分を複合させた超音波振動（複合振動）により第１部材を振動させる。これにより、本装置は、ワーク表面の不純物を除去しつつ接合を行うことができる。【００１１】
この超音波接合装置では、超音波振動伝達部の先端部に第１部材が取り付けられ、当該先端部のうち、第１部材と干渉しない位置に、振動調整部材が着脱可能に取り付けられている。振動調整部材を取り付けると、その位置、重量等により第１部材の振幅及び共振周波数が変化し、複合振動の縦横比率が変化する。すなわち、本装置は、振動調整部材を第１部材、ワークの種類等に応じて調整することで、複合振動を容易に変化させることができる。【００１２】
本発明の超音波接合装置において、前記振動調整部材を取り付ける取付部が前記超音波振動伝達部の前記先端部の中心に対して前記第１部材と反対側の位置に設けられていることが好ましい。【００１３】
この構成によれば、超音波振動伝達部の先端部下方に第１部材が取り付けられ、当該先端部の中心に対して反対側の位置に振動調整部材の取付部が設けられている。本装置は、振動調整部材の重量により、特に、第１部材の長軸方向の成分を発生させて、複合振動を変化させることができる。【００１４】
また、本発明の超音波接合装置において、前記振動調整部材を取り付ける複数の取付部が前記超音波振動伝達部の前記先端部の中心に対して対称の位置に設けられていてもよい。【００１５】
この構成によれば、超音波振動伝達部の先端部下方に接合用チップが取り付けられ、当該先端部の中心に対して対称の位置に振動調整部材の複数の取付部が設けられている。本装置は、例えば、水平方向の対称位置に振動調整部材を取り付けることで、第１部材の長軸方向に垂直な成分（第１部材の水平方向の成分）のバランスを調整して、複合振動を変化させることができる。【００１６】
また、本発明の超音波接合装置において、前記取付部は、凹部又は孔部であり、前記凹部又は前記孔部は雌ネジの溝が形成され、前記振動調整部材は雄ネジ部を有していることが好ましい。【００１７】
超音波振動伝達部に設けられた取付部は、雌ネジの溝が形成された凹部又は孔部（貫通孔）を有している。また、振動調整部材は、雄ネジ部を有している。これにより、本装置は、凹部又は孔部に対して振動変動部材を確実に結合するとともに、振動調整部材の突出長を調整して、複合振動を変化させることができる。【００１８】
また、本発明の超音波接合装置において、重量を調整可能なスペーサを備え、前記振動調整部材と前記超音波振動伝達部の外周との間に、前記スペーサが配置されていることが好ましい。【００１９】
本発明の超音波接合装置は、振動調整部材と超音波振動伝達部の外周との間に、重量を調整可能なスペーサを備えている。これにより、本装置は、振動調整部材のサイズを変更することなく、スペーサの形状、厚み等を変更することで重量を変化させ、複合振動を変化させることができる。【００２０】
また、本発明の超音波接合装置において、前記第１部材は、接合用チップであり、前記第２部材は、アンビルであることが好ましい。【００２１】
この構成によれば、第１部材は接合用チップであり、例えば、超音波振動伝達部の先端部下方に接合用チップを取り付け、先端部上方に着脱可能な振動調整部材を取り付ける。これにより、本装置は、複合振動を変化させることができる。
【図面の簡単な説明】
【００２２】
【図１】本発明の実施形態に係る超音波接合装置の全体構成を説明する図。
【図２Ａ】図１の超音波接合装置の超音波ＬＴホーンを説明する図（１）。
【図２Ｂ】図１の超音波接合装置の超音波ＬＴホーンを説明する図（２）。
【図３Ａ】超音波ＬＴホーンの先端部に対する調整ネジの取り付け方の例（１）。
【図３Ｂ】超音波ＬＴホーンの先端部に対する調整ネジの取り付け方の例（２）。
【図３Ｃ】超音波ＬＴホーンの先端部に対する調整ネジの取り付け方の例（３）。
【図４】ホーンチップの複合振動の測定方法について説明する図。
【図５Ａ】ホーンチップの複合振動の測定結果（調整ネジ無し）について説明する図。
【図５Ｂ】ホーンチップの複合振動の測定結果（条件１）について説明する図。
【図５Ｃ】ホーンチップの複合振動の測定結果（条件２）について説明する図。
【図５Ｄ】ホーンチップの複合振動の測定結果（条件３）について説明する図。
【図５Ｅ】ホーンチップの複合振動の測定結果（条件４）について説明する図。
【発明を実施するための形態】
【００２３】
以下では、本発明の超音波接合装置の実施形態について、図面を参照しつつ説明する。
【００２４】
初めに、図１を参照して、本発明の実施形態に係る超音波接合装置１の全体構成を説明する。超音波接合装置１は、金属板等の接合対象物（ワーク）を後述する超音波複合振動を利用して接合（溶接）する装置である。超音波接合装置１は、主にリチウムイオン電池、半導体素子等の電極、同種又は異種の金属の接合に用いられる。
【００２５】
超音波接合装置１は、超音波振動子（Langevin Type）２と、超音波拡大ホーン３と、超音波ＬＴホーン４と、ホーンチップ６と、アンビル７とで構成されている。また、発振装置８、加圧装置１０、センサ１２、制御装置１３、表示装置１４も超音波接合装置１の一部である。
【００２６】
電源（図示省略）から発振装置８に電源電圧を印加すると、超音波振動子２の＋電極及び−電極に電圧信号が伝達され、超音波振動子２が振動し、超音波振動（約２０ＫＨｚ）が発生する。超音波振動子２で発生した超音波振動は、超音波振動子２の一端部に取り付けられた円筒状の超音波拡大ホーン３に伝達され、振動振幅が拡大される。さらに、超音波振動は、超音波拡大ホーン３の一端部（超音波振動子２でない側の端部）に取り付けられた円筒状の超音波ＬＴホーン４（本発明の「超音波振動伝達部」に相当）に伝達される。
【００２７】
ここまで、超音波振動子２で発生した超音波振動は、超音波拡大ホーン３と超音波ＬＴホーン４の長軸方向に伝達されたが（超音波の縦振動）、超音波ＬＴホーン４の複数の斜めスリット４ａにより、縦振動から横振動に変換した振動成分が生じる。そして、超音波振動（複合振動）は、超音波ＬＴホーン４の一端部（超音波拡大ホーン３でない側の端部）にネジ止めされたホーンチップ６（本発明の「接合用チップ」及び「第１部材」に相当）に伝達される。
【００２８】
図示するように、超音波ＬＴホーン４の先端部４ｂは、中央部分がくり抜かれたリング形状（円筒形状）となっている。詳細は後述するが、先端部４ｂは、正面視したときの上下左右の位置にネジ孔が形成されており、上の位置のネジ孔に調整ネジ５（本発明の「振動調整部材」に相当）が取り付けられ、下の位置のネジ孔にホーンチップ６が取り付けられている。なお、超音波拡大ホーン３の先端部は円筒形状に限られず、多角形状でもよい。また、円柱又は多角柱でもよい。
【００２９】
調整ネジ５は、ネジの長さ、太さ、頭部の大きさを変更することができる。これにより、調整ネジ５の重量が変化するため、複合振動の振幅、共振周波数等が変化し、更には、複合振動の楕円比率を変化させることができる。
【００３０】
ホーンチップ６は、円錐台状の基体部６ａと、接合時にワークＷと接触する先端部６ｂとからなる。発振装置８で超音波振動の位相を調整することにより、超音波ＬＴホーン４の一端部で複合振動（例えば、楕円振動）が生じ、ホーンチップ６の先端部６ｂがワークＷの表面を楕円軌道を描いて振動する。この振動はワークＷの表面の不純物を排除し、さらにワークＷの表面の塑性変形を促進する。なお、ホーンチップ６は様々な形状があり、ワークＷの種類に応じて交換して使用することができる。
【００３１】
複合振動について補足すると、これは、ホーンチップ６の先端部６ｂがワークＷを押圧したとき、押圧の方向に垂直な第１方向の振動成分と、第１方向に直交する第２方向の振動成分とを複合させた振動である。第１方向の振動成分と第２方向の振動成分が１：１であれば円形振動、２：１ならば楕円振動となる。
【００３２】
また、超音波拡大ホーン３のフランジ部３ａに剛性の高い加圧用ブロック(図示省略)が接触している。このため、制御装置１３により加圧装置１０を制御し、昇降動作する加圧用ブロックを介して超音波接合装置１を垂直方向に移動させることができる。そして、台座であるアンビル７（本発明の「第２部材」に相当）上にワークＷを載置しておくことで、ホーンチップ６の先端部６ｂがワークＷに接触して静圧力（接合時は２００〜８００Ｎ）が加わるようになっている。
【００３３】
さらに、加圧用ブロックの変位を検出するセンサ（ストロークセンサ）１２があり、ホーンチップ６のワークＷの押し込み量を取得している。センサ１２は、接合時のホーンチップ６の垂直方向の座標変化を制御装置１３にフィードバック（破線は帰還信号）することで、押し込み量が一定に保持される。このため、加圧装置１０には、応答速度が速いアクチュエータが用いられている。
【００３４】
押し込み量は、表示装置１４から作業者が設定することができる。また、センサ１２に加えて圧力センサを備え、静圧力を一定に保持するように制御してもよい。このように、超音波接合装置１は、ワークＷの接合時に押し込み量又は静圧力を調整しながら複合振動を与えることで、確実に接合（固相接合）が促進される。
【００３５】
ここで、固相接合について補足すると、例えば、金属原子は、その表面が油脂、酸化被膜等で覆われ、原子同士の接近が妨げられた状態となっている。超音波接合では、金属に超音波振動を与えて、金属表面に強力な摩擦力を発生させる。これにより、金属表面の酸化被膜等が除去され、接合面に清浄かつ活性化した金属原子が現れる。
【００３６】
この状態で、さらに金属表面に超音波振動を与えることにより、摩擦熱による温度上昇で原子の運動が活発となり、原子間の相互引力が発生し、固相接合の状態が生成される。
【００３７】
次に、図２Ａ、図２Ｂを参照して、超音波ＬＴホーン４の詳細について説明する。
【００３８】
図２Ａに示すように、超音波ＬＴホーン４の先端部４ｂはリング形状（円筒形状）となっており、先端部４ｂの円筒中心軸Ｙ（中心Ｏ）の方向から見た上下左右の位置に貫通孔であるネジ孔４ｂ１〜４ｂ４（本発明の「取付部」に相当）が設けられている。また、ネジ孔４ｂ１〜４ｂ４には雌ネジ（例えば、Ｍ６）の溝が形成されており、先端部４ｂ下方のネジ孔４ｂ３はホーンチップ６用のネジ孔となっている。
【００３９】
ホーンチップ６の取付部６ｃは雄ネジ部となっているため、ホーンチップ６は、ネジ孔４ｂ３にネジを締め付ける形で取り付け、工具で固定する。また、ネジ方式とすることで、目的に合わせたホーンチップへの交換も容易となる。
【００４０】
調整ネジ５は、頭部５ａと取付部５ｂとで構成され、取付部５ｂには雄ネジの溝が形成されている。このため、調整ネジ５は、ホーンチップ６の反対側に位置するネジ孔４ｂ１にネジを締め付ける形で取り付け、工具で固定する。調整ネジ５は、ホーンチップ６と干渉しないネジ孔４ｂ１，４ｂ２，４ｂ４の何れかに取り付ければよい。
【００４１】
超音波ＬＴホーン４の先端部４ｂにおいて、ホーンチップ６と干渉しない位置とは、先端部４ｂの上述の上下左右の位置に限られない。図２Ｂに示すように、円筒中心軸Ｙの方向から見た斜め４５度の位置にネジ孔４ｂ５〜４ｂ８を設けてもよい。ネジ孔４ｂ３はホーンチップ６を取り付けるため必要となるが、図示するように、この場合、ネジ孔４ｂ１，４ｂ２，４ｂ４（図２Ａ参照）は無くてもよい。
【００４２】
超音波接合装置１は、何れの位置に調整ネジ５を取り付けた場合も、複合振動の共振周波数が変化し、楕円比率、振幅等が変化する。特に、ホーンチップ６における複合振動の振幅を大きくするためには、ホーンチップ６の長さを半波長の整数倍にすると効果的である。
【００４３】
超音波ＬＴホーン４の先端部４ｂに、複数の調整ネジ５を取り付けてもよい。以下では、図３Ａ〜図３Ｃを参照して、調整ネジ５の取り付けの方の例を説明する。
【００４４】
まず、図３Ａに示すように、先端部４ｂの水平方向の対称位置にあるネジ孔４ｂ２，４ｂ４に、それぞれ調整ネジ５Ａ，５Ｂを取り付けることができる。これにより、超音波接合装置１は、ホーンチップ６の長軸方向に垂直な成分（ホーンチップ６の水平方向の成分）を調整して、複合振動を変化させることができる。
【００４５】
なお、ホーンチップ６を共振周波数で振動させ、所望の楕円振動を得るためには、水平方向のバランスを僅かに崩すことが効果的であり、実験によっても確かめられている。従って、調整ネジ５Ａ，５Ｂは、必ずしも同じ重量、同じ長さでなくてもよく、適宜変更すると良い。
【００４６】
次に、図３Ｂに示すように、先端部４ｂの３つのネジ孔４ｂ１，４ｂ２，４ｂ４に、それぞれ調整ネジ５，５Ａ，５Ｂを取り付けることができる。これにより、超音波接合装置１は、ホーンチップ６の長軸方向の成分と、長軸方向に垂直な成分とを調整して、複合振動を変化させることができる。
【００４７】
先端部４ｂに３個の調整ネジ５，５Ａ，５Ｂを取り付けることで、先端部４ｂ全体の重量も変化する。従って、超音波接合装置１は、図３Ａのように２個の調整ネジ５Ａ，５Ｂを取り付けた場合と比較して、異なる複合振動を作ることができる。
【００４８】
また、図３Ｃに示すように、先端部４ｂのネジ孔４ｂ１に調整ネジ５を取り付ける際、間にスペーサ９を挟んでもよい。スペーサ９は、図示するような先端部４ｂの形状に合わせた金属板、又は円形のワッシャ（座金）とすることができ、形状又は（及び）厚みにより重量を調整することができる。
【００４９】
図３Ａ、図３Ｂのように、複数の調整ネジを用いる場合、調整ネジのサイズが共通であっても、スペーサ９の有無又はそのサイズにより、重量、バランス等を異ならせる。これにより、超音波接合装置１は、複合振動を変化させることができる。
【００５０】
次に、図４、図５Ａ〜図５Ｅを参照して、ホーンチップ６の複合振動の測定方法と測定結果について説明する。
【００５１】
まず、図４に示すように、超音波ＬＴホーン４の先端部４ｂ下方（ネジ孔４ｂ３）にホーンチップ６を取り付け、先端部４ｂ上方（ネジ孔４ｂ１）、すなわち、ホーンチップ６の反対側の位置に調整ネジ５を取り付ける。今回、先端部４ｂと調整ネジ５の間に円形のスペーサ９’を挟んで重量を調整する。
【００５２】
ホーンチップ６の複合振動の測定には、レーザドップラー振動計Ｌ１，Ｌ２を用いる。ホーンチップ６の先端にレーザドップラー振動計Ｌ１，Ｌ２からレーザ（例えば、He-Neレーザ）を照射し、周波数の変化Δｆを測定する。
【００５３】
より詳細には、レーザドップラー振動計Ｌ１は、ホーンチップ６のｘ軸方向の振動をモニタする。一方、レーザドップラー振動計Ｌ２は、ホーンチップ６のｙ軸方向の振動をモニタする。そして、レーザドップラー振動計Ｌ１の出力をオシロスコープＯのＣＨ２に、レーザドップラー振動計Ｌ２の出力をＣＨ１に、それぞれ入力する。これにより、両出力による波形として、表示部Ｍに楕円振動が表示される。
【００５４】
まず、図５Ａに、比較例として、調整ネジ５及びスペーサ９’を取り付けなかった場合（共振周波数f=38.9174kHz）の波形を示す。ここでは、直線に近い形状の楕円振動が得られた。なお、横軸がレーザドップラー振動計Ｌ２のｙ軸方向の変位、縦軸がレーザドップラー振動計Ｌ１のｘ軸方向の変位である。
【００５５】
次に、図５Ｂ、図５Ｃは、超音波ＬＴホーン４の先端部４ｂ上方（ネジ孔４ｂ１）に調整ネジ５及びスペーサ９’を取り付けた場合の波形を示している。図５Ｂは、調整ネジ５と厚さ４ｍｍのスペーサ９’を取り付けた場合（共振周波数f=39.0933kHz）であるが、図５Ａと比較して楕円形が膨らみ、傾きが大きくなった。
【００５６】
また、図５Ｃは、超音波ＬＴホーン４の先端部４ｂ上方（ネジ孔４ｂ１）に調整ネジ５と厚さ６ｍｍのスペーサ９’を取り付けた場合（共振周波数f=38.9579kHz）であるが、図５Ｂと比較して楕円形がつぶれ、傾きが小さくなった。このように、スペーサ９’の僅かな重量の違いでも、共振周波数が変化して楕円比率が変化するという結果が得られた。
【００５７】
次に、図５Ｄ、図５Ｅは、超音波ＬＴホーン４の先端部４ｂ右側（ネジ孔４ｂ２）に調整ネジ５及びスペーサ９’を取り付けた場合（共振周波数f=38.8439kHz）の波形を示している。図５Ｄは、調整ネジ５と厚さ３ｍｍのスペーサ９’を取り付けた場合である。この場合、図５Ｂと比較しても楕円形が膨らみ、傾きは逆方向となった。
【００５８】
図５Ｅは、図５Ｄと同条件であるが、図５Ｄとは異なる共振周波数における波形を示している。このように、同じ条件下でも、１次共振点か２次共振点かにより楕円比率、傾きが異なるという結果が得られた。以上のように、超音波接合装置１は、超音波ＬＴホーン４の先端部４ｂに調整ネジ５（５Ａ，５Ｂ）又は（及び）スペーサ９（９’）を取り付けることで、複合振動の振幅、楕円比率等を容易に変更することができる。
【００５９】
上記説明は、本発明の実施形態の一部であり、これ以外にも種々な実施形態が考えられる。例えば、本発明の「振動調整部材」は、調整ネジに限られない。振動調整部材が雄ネジ部を有していない円柱型である場合、超音波ＬＴホーンの先端部に複数段の係合溝を有する凹部を形成してもよい。これにより、円柱の先端部の外周に対する突出長を調整することができる。
【００６０】
また、本発明の「取付部」は、凹部又は孔部に限られない。例えば、超音波ＬＴホーンの先端部に雄ネジ部を有する突起を設けてもよい。このとき、振動調整部材に雌ネジの溝を形成すれば、先端部に対して振動調整部材を確実に取り付けることができる。
【００６１】
上述のホーンチップは、先端部が短いもの、端面に凹部又は凸部が形成されているもの等、様々な種類があるが、何れも取付部（ネジ）で超音波ＬＴホーンの先端部に取り付けることができる。なお、この場合、先端部の取り付け位置が振動ノードとならないように注意する。
【符号の説明】
【００６２】
１…超音波接合装置、２…超音波振動子、３…超音波拡大ホーン、３ａ…フランジ部、４…超音波ＬＴホーン、４ａ…斜めスリット、４ｂ…先端部、４ｂ１〜４ｂ８…ネジ孔、５，５Ａ，５Ｂ…調整ネジ、５ａ…頭部、５ｂ…取付部、６…ホーンチップ、６ａ…基体部、６ｂ…先端部、６ｃ…取付部、７…アンビル、８…発振装置、９，９’…スペーサ、１０…加圧装置、１２…センサ、１３…制御装置、１４…表示装置、Ｗ…ワーク。
【図１】
2020105434.tif 000003
【図２Ａ】
2020105434.tif 000004
【図２Ｂ】
2020105434.tif 000005
【図３Ａ】
2020105434.tif 000006
【図３Ｂ】
2020105434.tif 000007
【図３Ｃ】
2020105434.tif 000008
【図４】
2020105434.tif 000009
【図５Ａ】
2020105434.tif 000010
【図５Ｂ】
2020105434.tif 000011
【図５Ｃ】
2020105434.tif 000012
【図５Ｄ】
2020105434.tif 000013
【図５Ｅ】
2020105434.tif 000014
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
第１部材と、当該第１部材と対向する位置に配置された第２部材との間に重ねられた複数のワークを、当該第１部材が押圧する方向に垂直な第１方向の振動成分と当該第１方向に直交する第２方向の振動成分とを複合させた超音波振動によって当該第１部材を振動させることにより、当該複数のワークを接合する超音波接合装置であって、
前記第１部材に前記超音波振動を伝達する超音波振動伝達部を備え、
前記超音波振動伝達部の先端部に前記第１部材が取り付けられ、当該先端部の当該第１部材と干渉しない位置に着脱可能な振動調整部材が取り付けられ、
前記振動調整部材を取り付ける取付部は、少なくとも前記超音波振動伝達部の前記先端部の中心に対して前記第１部材と反対側の位置に設けられていることを特徴とする超音波接合装置。
【請求項２】
請求項１に記載の超音波接合装置において、
前記超音波振動伝達部の前記先端部には、複数の前記取付部が設けられ、
前記複数の取付部に、それぞれ前記振動調整部材が取り付けられていることを特徴とする超音波接合装置。
【請求項３】
請求項１又は２に記載の超音波接合装置において、
前記振動調整部材を取り付ける複数の取付部が前記超音波振動伝達部の前記先端部の中心に対して対称の位置に設けられていることを特徴とする超音波接合装置。
【請求項４】
請求項１〜３の何れか１項に記載の超音波接合装置において、
前記取付部は、凹部又は孔部であり、
前記凹部又は前記孔部は雌ネジの溝が形成され、前記振動調整部材は雄ネジ部を有していることを特徴とする超音波接合装置。
【請求項５】
請求項４に記載の超音波接合装置において、
重量を調整可能なスペーサを備え、
前記振動調整部材と前記超音波振動伝達部の外周との間に、前記スペーサが配置されていることを特徴とする超音波接合装置。
【請求項６】
請求項１〜５の何れか１項に記載の超音波接合装置において、
前記第１部材は、接合用チップであり、
前記第２部材は、アンビルであることを特徴とする超音波接合装置。
【国際調査報告】
2020105434.tif 000015
2020105434.tif 000016
2020105434.tif 000017